(57)【要約】      （修正有）【課題】ワイヤレス通信のための、方法、装置、およびコンピュータプログラムプロダクトを提供する。【解決手段】ＵＥからの信号を含む信号を受信する。隣接するｅノードＢのシステム情報を取得する。ＵＥからの信号に関して、受信した信号を向上させるために、システム情報に基づいて、受信した信号を処理する。受信した信号は、隣接するｅノードＢと通信中の第２のＵＥからの信号を含み、処理することは、ＵＥからの信号に関して、受信した信号の信号対干渉比を改善させるために、システム情報に基づいて、第２のＵＥからの信号を受信した信号から消去することを含む【選択図】図１０
2014195294.tif 000002
【特許請求の範囲】
【請求項１】
ワイヤレス通信の方法において、
ユーザ機器（ＵＥ）からの信号を含む信号を受信することと、
隣接するｅノードＢのシステム情報を取得することと、
前記ＵＥからの信号に関して、前記受信した信号を向上させるために、前記システム情報に基づいて、前記受信した信号を処理することとを含む方法。
【請求項２】
前記受信した信号は、前記隣接するｅノードＢと通信中の第２のＵＥからの信号を含み、前記処理することは、前記ＵＥからの信号に関して、前記受信した信号の信号対干渉比を改善させるために、前記システム情報に基づいて、前記第２のＵＥからの信号を前記受信した信号から消去することを含む請求項１記載の方法。
【請求項３】
前記システム情報は、前記第２のＵＥからの物理ランダムアクセスチャネル（ＰＲＡＣＨ）送信をデコードするための情報である請求項２記載の方法。
【請求項４】
前記システム情報は、前記第２のＵＥからの物理アップリンク制御チャネル（ＰＵＣＣＨ）送信をデコードするための情報である請求項２記載の方法。
【請求項５】
前記システム情報は、前記第２のＵＥからの物理アップリンク共有チャネル（ＰＵＳＣＨ）送信をデコードするための情報である請求項２記載の方法。
【請求項６】
前記システム情報は、前記隣接するｅノードＢとのＸ２バックホールを通して取得する請求項１記載の方法。
【請求項７】
前記システム情報は、前記隣接するｅノードＢによるブロードキャストから取得する請求項１記載の方法。
【請求項８】
前記隣接するｅノードＢから前記システム情報を取得するように第２のＵＥに要求することをさらに含み、前記システム情報は、前記第２のＵＥから取得する請求項１記載の方法。
【請求項９】
前記隣接するｅノードＢのグローバルセル識別子を有する追加情報を取得することをさらに含む請求項１記載の方法。
【請求項１０】
ワイヤレス通信ための装置において、
ユーザ機器（ＵＥ）からの信号を含む信号を受信する手段と、
隣接するｅノードＢのシステム情報を取得する手段と、
前記ＵＥからの信号に関して、前記受信した信号を向上させるために、前記システム情報に基づいて、前記受信した信号を処理する手段とを具備する装置。
【請求項１１】
前記受信した信号は、前記隣接するｅノードＢと通信中の第２のＵＥからの信号を含み、前記処理する手段は、前記ＵＥからの信号に関して、前記受信した信号の信号対干渉比を改善させるために、前記システム情報に基づいて、前記第２のＵＥからの信号を前記受信した信号から消去する請求項１０記載の装置。
【請求項１２】
前記システム情報は、前記第２のＵＥからの物理ランダムアクセスチャネル（ＰＲＡＣＨ）送信をデコードするための情報である請求項１１記載の装置。
【請求項１３】
前記システム情報は、前記第２のＵＥからの物理アップリンク制御チャネル（ＰＵＣＣＨ）送信をデコードするための情報である請求項１１記載の装置。
【請求項１４】
前記システム情報は、前記第２のＵＥからの物理アップリンク共有チャネル（ＰＵＳＣＨ）送信をデコードするための情報である請求項１１記載の装置。
【請求項１５】
前記システム情報は、前記隣接するｅノードＢとのＸ２バックホールを通して取得する請求項１０記載の装置。
【請求項１６】
前記システム情報は、前記隣接するｅノードＢによるブロードキャストから取得する請求項１０記載の装置。
【請求項１７】
前記隣接するｅノードＢから前記システム情報を取得するように第２のＵＥに要求する手段をさらに具備し、前記システム情報は、前記第２のＵＥから取得する請求項１０記載の装置。
【請求項１８】
前記隣接するｅノードＢのグローバルセル識別子を有する追加情報を取得する手段をさらに具備する請求項１０記載の装置。
【請求項１９】
コンピュータプログラムプロダクトにおいて、
ユーザ機器（ＵＥ）からの信号を含む信号を受信するためのコードと、
隣接するｅノードＢのシステム情報を取得するためのコードと、
前記ＵＥからの信号に関して、前記受信した信号を向上させるために、前記システム情報に基づいて、前記受信した信号を処理するためのコードとを有するコンピュータ読取可能媒体を含むコンピュータプログラムプロダクト。
【請求項２０】
前記受信した信号は、前記隣接するｅノードＢと通信中の第２のＵＥからの信号を含み、前記処理するためのコードは、前記ＵＥからの信号に関して、前記受信した信号の信号対干渉比を改善させるために、前記システム情報に基づいて、前記第２のＵＥからの信号を前記受信した信号から消去させる請求項１９記載のコンピュータプログラムプロダクト。
【請求項２１】
前記システム情報は、前記第２のＵＥからの物理ランダムアクセスチャネル（ＰＲＡＣＨ）送信をデコードするための情報である請求項２０記載のコンピュータプログラムプロダクト。
【請求項２２】
前記システム情報は、前記第２のＵＥからの物理アップリンク制御チャネル（ＰＵＣＣＨ）送信をデコードするための情報である請求項２０記載のコンピュータプログラムプロダクト。
【請求項２３】
前記システム情報は、前記第２のＵＥからの物理アップリンク共有チャネル（ＰＵＳＣＨ）送信をデコードするための情報である請求項２０記載のコンピュータプログラムプロダクト。
【請求項２４】
前記システム情報は、前記隣接するｅノードＢとのＸ２バックホールを通して取得する請求項１９記載のコンピュータプログラムプロダクト。
【請求項２５】
前記システム情報は、前記隣接するｅノードＢによるブロードキャストから取得する請求項１９記載のコンピュータプログラムプロダクト。
【請求項２６】
前記コンピュータ読取可能媒体は、前記隣接するｅノードＢから前記システム情報を取得するように第２のＵＥに要求するためのコードをさらに含み、前記システム情報は、前記第２のＵＥから取得する請求項１９記載のコンピュータプログラムプロダクト。
【請求項２７】
前記コンピュータ読取可能媒体は、前記隣接するｅノードＢのグローバルセル識別子を有する追加情報を取得するためのコードをさらに含む請求項１９記載のコンピュータプログラムプロダクト。
【請求項２８】
ワイヤレス通信のための装置において、
ユーザ機器（ＵＥ）からの信号を含む信号を受信し、
隣接するｅノードＢのシステム情報を取得し、
前記ＵＥからの信号に関して、前記受信した信号を向上させるために、前記システム情報に基づいて、前記受信した信号を処理するように構成されている処理システムを具備する装置。
【請求項２９】
前記受信した信号は、前記隣接するｅノードＢと通信中の第２のＵＥからの信号を含み、前記受信した信号を処理するために、前記処理システムは、前記ＵＥからの信号に関して、前記受信した信号の信号対干渉比を改善させるために、前記システム情報に基づいて、前記第２のＵＥからの信号を前記受信した信号から消去するように構成されている請求項２８記載の装置。
【請求項３０】
前記システム情報は、前記第２のＵＥからの物理ランダムアクセスチャネル（ＰＲＡＣＨ）送信をデコードするための情報である請求項２９記載の装置。
【請求項３１】
前記システム情報は、前記第２のＵＥからの物理アップリンク制御チャネル（ＰＵＣＣＨ）送信をデコードするための情報である請求項２９記載の装置。
【請求項３２】
前記システム情報は、前記第２のＵＥからの物理アップリンク共有チャネル（ＰＵＳＣＨ）送信をデコードするための情報である請求項２９記載の装置。
【請求項３３】
前記システム情報は、前記隣接するｅノードＢとのＸ２バックホールを通して取得する請求項２８記載の装置。
【請求項３４】
前記システム情報は、前記隣接するｅノードＢによるブロードキャストから取得する請求項２８記載の装置。
【請求項３５】
前記処理システムは、前記隣接するｅノードＢから前記システム情報を取得するように第２のＵＥに要求するようにさらに構成されており、前記システム情報は、前記第２のＵＥから取得する請求項２８記載の装置。
【請求項３６】
前記処理システムは、前記隣接するｅノードＢのグローバルセル識別子を有する追加情報を取得するようにさらに構成されている請求項２８記載の装置。
【発明の詳細な説明】
【関連出願に対する相互参照】
【０００１】
本出願は、“セルにわたって情報交換するためのシステムおよび方法”と題し、２００９年６月１６日に出願され、ここでの参照によりその全体が明確に組み込まれている米国仮出願第６１／１８７，５８９号に対して利益を主張する。
【分野】
【０００２】
本開示は、一般的に、通信システムに関連し、さらに詳細には、異種ネットワークにおける受信を促進するセルにわたって情報交換するためのメカニズムに関連している。
【背景】
【０００３】
ワイヤレス通信システムは、電話、ビデオ、データ、メッセージング、ブロードキャストのような、さまざまな電気通信サービスを提供するために広く採用されている。典型的なワイヤレス通信システムは、利用可能なシステムリソース（例えば、帯域幅、送信電力）を共有することにより、複数のユーザとの通信をサポートすることが可能な多元接続技術を用いることがある。このような多元接続技術の例は、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一搬送波周波数分割多元接続（ＳＣ−ＦＤＭＡ）システム、時分割同期コード分割多元接続（ＴＤ−ＳＣＤＭＡ）システムを含む。
【０００４】
これらの多元接続技術は、異なるワイヤレスデバイスが、都市レベルで、国レベルで、領域レベルで、それどころか地球規模レベルで通信することを可能にする共通のプロトコルを提供するために、さまざまな電気通信標準規格中で採用されている。新興電気通信標準規格の例は、ロングタームエボリューション（ＬＴＥ）である。ＬＴＥは、第３世代パートナーシッププロジェクト（３ＧＰＰ）により公表されたユニバーサルテレコミュニケーションシステム（ＵＭＴＳ）移動体標準規格に対する１組の拡張である。ＬＴＥは、スペクトル効率性を改善させることにより移動体広帯域インターネットアクセスをより良くサポートし、コストを削減し、サービスを改善し、新たなスペクトルを利用して、ダウンリンク（ＤＬ）上でのＯＦＤＭＡと、アップリンク（ＵＬ）上でのＳＣ−ＦＤＭＡと、複数入力複数出力（ＭＩＭＯ）アンテナ技術とを利用する他のオープンな標準規格により良く一体化するように設計されている。しかしながら、移動体広帯域アクセスへの需要は増加し続けるので、ＬＴＥ技術におけるさらなる改良の必要性が存在する。好ましくは、これらの改良は、他のマルチアクセス技術、および、これらの技術を用いる電気通信標準規格に適用可能であるべきである。
【概要】
【０００５】
本開示のある態様にしたがうと、ワイヤレス通信の方法は、ユーザ機器（ＵＥ）からの信号を含む信号を受信することを含む。加えて、方法は、隣接するｅノードＢのシステム情報を取得することを含む。さらに、方法は、ＵＥからの信号に関して、受信した信号を向上させるために、システム情報に基づいて、受信した信号を処理することを含む。
【０００６】
本開示のある態様にしたがうと、ワイヤレス通信のための装置は、ＵＥからの信号を含む信号を受信する手段と、隣接するｅノードＢのシステム情報を取得する手段と、ＵＥからの信号に関して、受信した信号を向上させるために、システム情報に基づいて、受信した信号を処理する手段とを具備する。
【０００７】
本開示のある態様にしたがうと、コンピュータプログラムプロダクトは、コンピュータ読取可能媒体を含む。コンピュータ読取可能媒体は、ＵＥからの信号を含む信号を受信するためのコードと、隣接するｅノードＢのシステム情報を取得するためのコードと、ＵＥからの信号に関して、受信した信号を向上させるために、システム情報に基づいて、受信した信号を処理するためのコードとを有する。
【０００８】
本開示のある態様にしたがうと、ワイヤレス通信のための装置は、処理システムを具備する。処理システムは、ＵＥからの信号を含む信号を受信するように構成されている。処理システムは、隣接するｅノードＢのシステム情報を取得するようにさらに構成されている。処理システムは、ＵＥからの信号に関して、受信した信号を向上させるために、システム情報に基づいて、受信した信号を処理するようにさらに構成されている。
【図面の簡単な説明】
【０００９】
【図１】図１は、処理システムを用いる装置に対するハードウェアインプリメンテーションの例を図示しているダイヤグラムである。
【図２】図２は、ネットワークアーキテクチャの例を図示しているダイヤグラムである。
【図３】図３は、アクセスネットワークの例を図示しているダイヤグラムである。
【図４】図４は、アクセスネットワーク中での使用のためのフレーム構造の例を図示しているダイヤグラムである。
【図５】図５は、ＬＴＥにおけるＵＬに対する例示的なフォーマットを示している。
【図６】図６は、ユーザプレーンと制御プレーンとに対する無線プロトコルアーキテクチャの例を図示しているダイヤグラムである。
【図７】図７は、アクセスネットワーク中のｅノードＢとＵＥとの例を図示しているダイヤグラムである。
【図８】図８は、異種ネットワークにおけるセル受信を促進するセルにわたって情報交換するためのメカニズムを図示しているダイヤグラムである。
【図９】図９は、異種ネットワークにおけるセル受信を促進するセルにわたって情報交換するためのメカニズムを図示している別のダイヤグラムである。
【図１０】図１０は、異種ネットワークにおけるセル受信を促進するセルにわたって情報交換するためのメカニズムを図示しているさらに別のダイヤグラムである。
【図１１】図１１は、ワイヤレス通信の方法のフローチャートである。
【図１２】図１２は、ワイヤレス通信の方法の別のフローチャートである。
【図１３】図１３は、例示的な装置の機能性を図示しているブロックダイヤグラムである。
【詳細な説明】
【００１０】
添付した図面に関連して下記に述べられている詳細な説明は、さまざまなコンフィギュレーションの説明として意図しており、ここに記述した概念を実施できる唯一のコンフィギュレーションを表すことを意図していない。詳細な説明は、さまざまな概念の完全な理解を提供する目的のために特有な詳細を含んでいる。しかしながら、これらの概念をこれらの特有な詳細なしで実施できることは、当業者にとって明らかであるだろう。いくつかの事例では、このような概念を曖昧にすることを避けるために、よく知られている構造およびコンポーネントをブロックダイヤグラムの形態で示している。
【００１１】
さまざまな装置および方法を参照して、電気通信システムのいくつかの態様をこれから提示する。これらの装置および方法を、（集合的には“エレメント”と呼ばれる）さまざまなブロック、モジュール、コンポーネント、回路、ステップ、処理、アルゴリズム等により、下記の詳細な説明において説明し、添付した図面において図示している。これらのエレメントは、電子ハードウェア、コンピュータソフトウェア、またはこれらの何らかの組み合わせを使用して実現できる。このようなエレメントを、ハードウェアとして、または、ソフトウェアとして実現するか否かは、特定のアプリケーションとシステム全体に課せられる設計の制約とに依存している。
【００１２】
例として、エレメント、エレメントの何らかの部分、または、エレメントの何らかの組み合わせを、１つ以上のプロセッサを備える“処理システム”により実現できる。プロセッサの例は、マイクロプロセッサ、マイクロ制御装置、デジタル信号プロセッサ（ＤＳＰ）、現場プログラム可能ゲートアレイ（ＦＰＧＡ）、プログラム可能論理デバイス（ＰＬＤ）、状態機械、ゲート論理、ディスクリートハードウェア回路、および、本開示全体を通して記述したさまざまな機能性を実行するように構成されている他の適切なハードウェアを含む。処理システム中の１つ以上のプロセッサは、ソフトウェアを実行できる。ソフトウェアは、ソフトウェア、ファームウェア、ミドルウェア、マイクロコード、ハードウェア記述言語、またはその他のものとして言及されるかに関わらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行のスレッド、手順、関数等を意味するように広く解釈されるものである。ソフトウェアは、コンピュータ読取可能媒体上に存在することができる。コンピュータ読取可能媒体は、例として、磁気記憶デバイス（例えば、ハードディスク、フロッピー（登録商標）ディスク、磁気ストライプ）、光ディスク（例えば、コンパクトディスク（ＣＤ）、デジタル汎用性ディスク（ＤＶＤ））、スマートカード、フラッシュメモリデバイス（例えば、カード、スティック、キードライブ）、ランダムアクセスメモリ（ＲＡＭ）、リードオンリーメモリ（ＲＯＭ）、プログラム可能ＲＯＭ（ＰＲＯＭ）、消去可能ＰＲＯＭ（ＥＰＲＯＭ）、電気的消去可能ＰＲＯＭ（ＥＥＰＲＯＭ）、レジスタ、リムーバブルディスク、搬送波、伝送路、およびソフトウェアを記憶または送信する他の何らかの適切な媒体を含むことができる。コンピュータ読取可能媒体は、処理システム中に内在させることができ、処理システムの外部にすることができ、または、処理システムを含む複数のエンティティにわたって分散させることができる。コンピュータ読取可能媒体は、コンピュータプログラムプロダクト中で具現化することができる。例として、コンピュータプログラムプロダクトは、パッケージングマテリアル中のコンピュータ読取可能媒体を含むことができる。特定のアプリケーションと、システム全体に課せられる設計制約全体とに依存して、本開示全体を通して提示し、記述した機能性をどのように実現することが最良であるかを、当業者は認識するだろう。
【００１３】
図１は、処理システム１１４を用いる装置１００に対するハードウェアインプリメンテーションの例を図示している概念図である。この例では、処理システム１１４は、一般的にバス１０２により表されている、バスアーキテクチャにより実現することができる。バス１０２は、処理システム１１４の特有なアプリケーションと全体的な設計の制約とに依存して、任意の数の相互接続しているバスとブリッジとを含んでもよい。バス１０２は、一般的にプロセッサ１０４により表されている、１つ以上のプロセッサと、一般的にコンピュータ読取可能媒体１０６により表されている、コンピュータ読取可能媒体とを含むさまざまな回路を一緒にリンクさせる。バス１０２はまた、タイミングソース、周辺装置、電圧レギュレータ、および電力管理回路のような、他のさまざまな回路をリンクさせる。これらの他のさまざまな回路は、技術的によく知られており、それゆえ、これ以上記述しない。バスインターフェース１０８は、バス１０２とトランシーバ１１０との間のインターフェースを提供する。トランシーバ１１０は、伝送媒体を通して、他のさまざまな装置と通信する手段を提供する。装置の性質に依存して、ユーザインターフェース１１２（例えば、キーパッド、ディスプレイ、スピーカー、マイクロフォン、ジョイスティック）を提供することもできる。
【００１４】
プロセッサ１０４は、バス１０２と、コンピュータ読取可能媒体１０６上に記憶されているソフトウェアの実行を含む一般的な処理とを管理することを担当する。ソフトウェアは、プロセッサ１０４により実行されるとき、任意の特定の装置に対して下記に記述したさまざまな機能を処理システム１１４に実行させる。ソフトウェアを実行するときに、プロセッサ１０４により操作されるデータを記憶するために、コンピュータ読取可能媒体１０６も使用してもよい。
【００１５】
図２中に示されているようなＬＴＥネットワークアーキテクチャを参照して、さまざまな装置を用いる電気通信システムの例をこれから提示する。ＬＴＥネットワークアーキテクチャ２００が、コアネットワーク２０２とアクセスネットワーク２０４とにより示されている。この例では、コアネットワーク２０２は、アクセスネットワーク２０４にパケット交換サービスを提供するが、当業者が容易に正しく認識するように、本開示全体を通して提示したさまざまな概念を、回線交換サービスを提供するコアネットワークに拡張することができる。
【００１６】
アクセスネットワーク２０４が、単一の装置２１２により示されている。この単一の装置２１２は、通常、ＬＴＥアプリケーションにおいて、進化ノードＢと呼ばれるが、当業者により、基地局、基地トランシーバ局、無線基地局、無線トランシーバ、トランシーバ機能、基本サービスセット（ＢＳＳ）、拡張サービスセット（ＥＳＳ）、または他のいくつかの適切な専門用語として呼ばれることもある。ｅノードＢ２１２は、移動体装置２１４に対して、コアネットワーク２０２へのアクセスポイントを提供する。移動体装置の例は、セルラ電話機、スマートフォン、セッション開始プロトコル（ＳＩＰ）電話機、ラップトップ、パーソナルデジタルアシスタント（ＰＤＡ）、衛星ラジオ、グローバルポジショニングシステム、マルチメディアデバイス、ビデオデバイス、デジタルオーディオプレーヤー（例えば、ＭＰ３プレーヤー）、カメラ、ゲームコンソール、または他の何らかの類似した機能デバイスを含む。移動体装置２１４は、通常、ＬＴＥアプリケーションにおいて、ＵＥと呼ばれるが、当業者により、移動局、加入者局、移動体ユニット、加入者ユニット、ワイヤレスユニット、遠隔ユニット、移動体デバイス、ワイヤレスデバイス、ワイヤレス通信デバイス、遠隔デバイス、移動体加入者局、アクセス端末、移動体端末、ワイヤレス端末、遠隔端末、ハンドセット、ユーザエージェント、移動体クライアント、クライアント、または他のいくつかの適切な専門用語として呼ばれることもある。
【００１７】
コアネットワーク２０２が、パケットデータノード（ＰＤＮ）ゲートウェイ２０８と担当ゲートウェイ２１０とを含むいくつかの装置により示されている。ＰＤＮゲートウェイ２０８は、アクセスネットワーク２０４に対する接続をパケットベースのネットワーク２０６に提供する。この例では、パケットベースのネットワーク２０６はインターネットであるが、本開示全体を通して提示する概念は、インターネットアプリケーションに限定されない。ＰＤＮゲートウェイ２０８の主な機能は、ＵＥ２１４にネットワーク接続を提供することである。データパケットは、担当ゲートウェイ２１０を通して、ＰＤＮゲートウェイ２０８とＵＥ２１４との間で転送される。担当ゲートウェイ２１０は、ＵＥ２１４がアクセスネットワーク２０４通してローミングする際に、ローカル移動性アンカーとして機能する。
【００１８】
図３を参照して、ＬＴＥネットワークアーキテクチャにおけるアクセスネットワークの例をこれから提示する。この例では、アクセスネットワーク３００は、多数のセルラ領域（セル）３０２に分割されている。ｅノードＢ３０４は、セル３０２に割り当てられており、セル３０２中のすべてのＵＥ３０６に対して、コアネットワーク２０２（図２参照）へのアクセスポイントを提供するように構成されている。アクセスネットワーク３００のこの例では、集中制御装置が存在しないが、集中制御装置は、代替的なコンフィギュレーションにおいて使用してもよい。ｅノードＢ３０４は、コアネットワーク２０２（図２参照）中の担当ゲートウェイ２１０に対する、無線ベアラ制御、アドミッション制御、移動性制御、スケジューリング、セキュリティ、接続性を含む、すべての無線関連機能を担当する。
【００１９】
アクセスネットワーク３００により用いられる変調および多元接続スキームは、採用される特定の電気通信標準規格に依存して、変化してもよい。ＬＴＥアプリケーションでは、周波数分割多重化（ＦＤＤ）と時分割多重化（ＴＤＤ）との双方をサポートするために、ＤＬ上でＯＦＤＭを使用して、ＵＬ上でＳＣ−ＦＤＭＡを使用する。当業者は、後に続く詳細な説明から、ここで提示したさまざまな概念がＬＴＥアプリケーションに十分に適していることを容易に正しく認識するだろう。しかしながら、これらの概念は、他の変調および多元接続技術を用いる他の電気通信標準規格に容易に拡張することができる。例として、これらの概念は、進化データ最適化（ＥＶ−ＤＯ）またはウルトラモバイルブロードバンド（ＵＭＢ）に拡張することができる。ＥＶ−ＤＯおよびＵＭＢは、ＣＤＭＡ２０００ファミリの標準規格の一部として、第３世代パートナーズシッププロジェクト２（３ＧＰＰ２）により公表されたエアインターフェース標準規格であり、ＣＤＭＡを用いて、ブロードバンドインターネットアクセスを移動局に提供する。これらの概念は、ワイドバンドＣＤＭＡ（Ｗ−ＣＤＭＡ）と、ＴＤ−ＳＣＤＭＡのような他のさまざまなＣＤＭＡとを用いるユニバーサル地上無線アクセス（ＵＴＲＡ）や、ＴＤＭＡを用いるグローバルシステムフォーモバイルコミュニケーション（ＧＳＭ（登録商標））や、ＯＦＤＭＡを用いる、進化ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ）、ＩＥＥＥ８０２．２０、およびフラッシュＯＦＤＭにも拡張することができる。ＵＴＲＡ、Ｅ−ＵＴＲＡ、ＵＭＴＳ、ＬＴＥ、およびＧＳＭは、３ＧＰＰ機関からの文書中に記載されている。ＣＤＭＡ２０００およびＵＭＢは、３ＧＰＰ２機関からの文書中に記載されている。実際のワイヤレス通信標準規格、および、用いられる多元接続技術は、特有なアプリケーションと、システム上に課せられる全体的な設計の制約とに依存するだろう。
【００２０】
ｅノードＢ３０４は、ＭＩＭＯ技術をサポートする複数のアンテナを有していてもよい。ＭＩＭＯ技術の使用により、ｅノードＢ３０４が、空間ドメインを活用して、空間多重化と、ビーム形成と、送信ダイバーシティとをサポートすることが可能になる。
【００２１】
同一の周波数上で、データの異なるストリームを同時に送信するために、空間多重化を使用してもよい。データストリームを単一のＵＥ３０６に送信して、データレートを増加させてもよく、または、データストリームを複数のＵＥ３０６に送信して、全体的なシステムの容量を増加させてもよい。各データストリームを空間的に予めコード化して、各空間的に予めコード化したストリームを、ダウンリンク上の異なる送信アンテナを通して送信することにより、これを達成する。空間的に予めコード化したデータストリームは、異なる空間シグネチャでＵＥ３０６に到達する。これにより、ＵＥ３０６のそれぞれが、そのＵＥ３０６に宛てられている１つ以上のデータストリームを復元できるようになる。アップリンク上において、各ＵＥ３０６は、空間的に予めコード化したデータストリームを送信し、これにより、ｅノードＢ３０４が、各空間的に予めコード化されたデータストリームの発信元を識別できるようになる。
【００２２】
空間多重化は、一般的に、チャネル条件が良いときに使用される。チャネル条件が好適なもの以下であるときに、ビーム形成を使用して、送信エネルギーを１つ以上の方向に集中させてもよい。複数のアンテナを通して送信するために、データを空間的に予めコード化することにより、これを達成してもよい。セルの端における良いカバレッジを達成するために、単一のストリームビーム形成送信を、送信ダイバーシティと組み合わせて使用してもよい。
【００２３】
後に続く詳細な説明において、ダウンリンク上でＯＦＤＭをサポートするＭＩＭＯシステムを参照して、アクセスネットワークのさまざまな態様を記述する。ＯＦＤＭは、ＯＦＤＭシンボル内で、多数の副搬送波を通してデータを変調するスペクトル拡散技術である。副搬送波は、精密な周波数だけスペースを空けて離れている。スペーシングは、受信機が副搬送波からデータを復元することを可能にする“直交性”を提供する。時間ドメインにおいて、各ＯＦＤＭシンボルにガード間隔（例えば、サイクリックプリフィックス）を付加して、ＯＦＤＭシンボル間の干渉を抑制してもよい。アップリンクは、ＤＦＴ拡散ＯＦＤＭ信号の形態でＳＣ−ＦＤＭＡを使用して、高いピーク対平均電力比（ＰＡＲＲ）を補償してもよい。
【００２４】
さまざまなフレーム構造を使用して、ＤＬおよびＵＬ送信をサポートしてもよい。図４を参照して、ＤＬフレーム構造の例をこれから提示する。しかしながら、当業者が容易に正しく認識するように、何らかの特定のアプリケーションに対するフレーム構造は、任意の数の要因に依存して異なっていてもよい。この例では、フレーム（１０ｍｓ）が、１０個の等しいサイズのサブフレームに分割されている。各サブフレームは、２個の連続するスロットを含む。
【００２５】
２個のタイムスロットを表すために、リソースグリッドを使用してもよく、２個のそれぞれのタイムスロットは、リソースブロックを含む。リソースグリッドは、複数のリソースエレメントに分割されている。ＬＴＥでは、リソースブロックは、周波数ドメインにおける１２個の連続する副搬送波と、各ＯＦＤＭシンボル中の通常サイクリックプリフィックスに対して、時間ドメインにおける７個の連続するＯＦＤＭシンボルと、すなわち８４個のリソースエレメントを含む。Ｒ0およびＲ1として示されている、リソースエレメントのうちのいくつかは、ＤＬ基準信号（ＤＬ−ＲＳ）を含む。ＤＬ−ＲＳは、セル特有なＲＳ（ＣＲＳ）（または、時には共通ＲＳと呼ばれる）と、ＵＥ特有なＲＳ（ＵＥ−ＲＳ）とを含む。ＵＥ−ＲＳは、対応する物理ダウンリンク共有チャネル（ＰＤＳＣＨ）がマッピングされているリソースブロック上でのみ送信される。各リソースエレメントにより運ばれるビットの数は、変調スキームに依存する。したがって、ＵＥがリソースブロックを受信すればするほど、および、変調スキームが高ければ高いほど、ＵＥに対するデータレートが高くなる。
【００２６】
図５を参照して、ＵＬフレーム構造の例をこれから提示する。図５は、ＬＴＥにおけるＵＬに対する例示的なフォーマットを示している。ＵＬに対して利用可能なリソースブロックは、データセクションと制御セクションとに区分されていてもよい。制御セクションは、システム帯域幅の２つの端において形成されていてもよく、構成可能なサイズを有していてもよい。制御セクションのリソースブロックは、制御情報の送信のために、ＵＥに割り当てられていてもよい。データセクションは、制御セクション中に含まれていないすべてのリソースブロックを含んでいてもよい。図５中の設計は、結果として、連続的な副搬送波を含むデータセクションとなり、これにより、データセクション中の連続的な副搬送波のすべてを単一のＵＥに割り当てることが可能になる。
【００２７】
ｅノードＢに制御情報を送信するために、制御セクション中のリソースブロック５１０a、５１０bをＵＥに割り振ってもよい。また、ｅノードＢにデータを送信するために、データセクション中のリソースブロック５２０a、５２０bをＵＥに割り振ってもよい。ＵＥは、制御セクション中の割り当てられたリソースブロック上における物理アップリンク制御チャネル（ＰＵＣＣＨ）中で、制御情報を送信してもよい。ＵＥは、データセクション中の割り当てられたリソースブロック上における物理アップリンク共有チャネル（ＰＵＳＣＨ）中で、データのみ、または、データと制御情報との双方を送信してもよい。図５中に示されているように、ＵＬ送信は、サブフレームの双方のスロットにまたがってもよく、周波数にわたってホッピングしていてもよい。
【００２８】
図５中で示されているように、リソースブロックのセットを使用して、初期のシステムアクセスを実行し、物理ランダムアクセスチャネル（ＰＲＡＣＨ）中のＵＬ同期化を達成してもよい。ＰＲＡＣＨは、ランダムシーケンスを運び、何らかのＵＬデータ／シグナリングを運ぶことはできない。各ランダムアクセスプリアンブルは、６個の連続するリソースブロックに対応する帯域幅を占有する。開始周波数は、ネットワークにより指定されている。つまり、ランダムアクセスプリアンブル送信は、特定の時間および周波数リソースに制限されている。ＰＲＡＣＨに対する周波数ホッピングは存在しない。単一のサブフレーム（１ｍｓ）中でＰＲＡＣＨ試行が運ばれ、ＵＥは、フレーム（１０ｍｓ）毎に単一のＰＲＡＣＨ試行のみを行うことができる。
【００２９】
ＬＴＥにおける、ＰＵＣＣＨ、ＰＵＳＣＨ、およびＰＲＡＣＨは、公的に利用可能である、“進化ユニバーサル地上無線アクセス（Ｅ−ＵＴＲＡ）；物理チャネルおよび変調”と題する３ＧＰＰ ＴＳ ３６．２１１中に記述されている。
【００３０】
無線プロトコルアーキテクチャは、特定のアプリケーションに基づいて、さまざまな形態をとってもよい。図６を参照して、ＬＴＥシステムに対する例をこれから提示する。図６は、ユーザプレーンと制御プレーンとに対する無線プロトコルアーキテクチャの例を図示している概念図である。
【００３１】
図６に目を向けると、ＵＥおよびｅノードＢに対する無線プロトコルアーキテクチャが、３つのレイヤ：レイヤ１、レイヤ２、およびレイヤ３により示されている。レイヤ１は、最下位であり、さまざまな物理レイヤ信号処理機能を実現する。レイヤ１は、ここでは物理レイヤ６０６と呼ばれるだろう。レイヤ２（Ｌ２レイヤ）６０８は、物理レイヤ６０６より上にあり、物理レイヤ６０６を通してのＵＥとｅノードＢとの間のリンクを担当している。
【００３２】
ユーザプレーンでは、Ｌ２レイヤ６０８は、メディアアクセス制御（ＭＡＣ）サブレイヤ６１０と、無線リンク制御（ＲＬＣ）サブレイヤ６１２と、パケットデータ収束プロトコル（ＰＤＣＰ）サブレイヤ６１４とを含み、これらは、ネットワーク側のｅノードＢにおいて終端する。示されてはいないが、ＵＥは、Ｌ２レイヤ６０８より上にいくつかの上位レイヤを有していてもよい。Ｌ２レイヤ６０８より上のいくつかの上位レイヤは、ネットワーク側のＰＤＮゲートウェイ２０８（図２参照）において終端しているネットワークレイヤ（例えば、ＩＰレイヤ）と、接続のもう一端（例えば、離れた端のＵＥ、サーバ等）において終端しているアプリケーションレイヤとを含む。
【００３３】
ＰＤＣＰサブレイヤ６１４は、異なる無線ベアラと論理チャネルとの間での多重化を提供する。ＰＤＣＰサブレイヤ６１４はまた、無線送信オーバーヘッドを減少させるための、上位レイヤデータパケットに対するヘッダ圧縮と、データパケットを暗号化することによるセキュリティと、ｅノードＢ間でのＵＥに対するハンドオーバーサポートとを提供する。ＲＬＣサブレイヤ６１２は、上位レイヤデータパケットの、セグメント化および再組み立てと、消失データパケットの再送信と、ハイブリッド自動反復要求（ＨＡＲＱ）による順序通りでない受信を補償するための、データパケットの再順序付けとを提供する。ＭＡＣサブレイヤ６１０は、論理チャネルと伝送チャネルとの間での多重化を提供する。ＭＡＣサブレイヤ６１０は、１つのセル中で、ＵＥの間に、さまざまな無線リソース（例えば、リソースブロック）を割り振ることも担当している。ＭＡＣサブレイヤ６１０は、ＨＡＲＱ動作も担当している。
【００３４】
制御プレーンでは、制御プレーンに対するヘッダ圧縮機能が存在しないことを除いて、ＵＥとｅノードＢとに対する無線プロトコルアーキテクチャは、実質的に、物理レイヤ６０６とＬ２レイヤ６０８とに対するものと同一である。制御プレーンは、レイヤ３中の無線リソース制御（ＲＲＣ）サブレイヤ６１６も含む。ＲＲＣサブレイヤ６１６は、無線リソース（すなわち、無線ベアラ）を取得することと、ｅノードＢとＵＥとの間のＲＲＣシグナリングを使用して、下位レイヤを構成することとを担当する。
【００３５】
図７は、アクセスネットワーク中でＵＥ７５０と通信中のｅノードＢ７１０のブロックダイヤグラムである。ＤＬにおいて、コアネットワークからの上位レイヤパケットが、制御装置／プロセッサ７７５に提供される。制御装置／プロセッサ７７５は、図６に関連して先に記述したＬ２レイヤの機能性を実現する。ＤＬにおいて、制御装置／プロセッサ７７５は、ヘッダ圧縮と、暗号化と、パケットのセグメント化および再順序付けと、論理チャネルと伝送チャネルとの間での多重化と、さまざまな優先メトリックに基づく、ＵＥ７５０への無線リソース割り当てとを提供する。制御装置／プロセッサ７７５はまた、ＨＡＲＱ動作と、消失パケットの再送信と、ＵＥ７５０へのシグナリングとを担当している。
【００３６】
ＴＸプロセッサ７１６は、Ｌ１レイヤ（すなわち、物理レイヤ）に対するさまざまな信号処理機能を実現する。信号処理機能は、ＵＥ７５０における順方向誤り訂正（ＦＥＣ）を促進するために、コード化することおよびインターリーブすることと、さまざまな変調スキーム（例えば、２進位相シフトキーイング（ＢＰＳＫ）、直角位相シフトキーイング（ＱＰＳＫ）、Ｍ位相シフトキーイング（Ｍ−ＰＳＫ）、Ｍ直角振幅変調（Ｍ−ＱＡＭ））に基づいて、信号配列にマッピングすることとを含む。コード化され、変調された信号は、その後、パラレルストリーム中に分けられる。各ストリームは、その後、ＯＦＤＭ副搬送波にマッピングされ、時間および／または周波数ドメイン中で基準信号（例えば、パイロット）と多重化され、高速逆フーリエ変換（ＩＦＦＴ）を使用して一緒に合成されて、時間ドメインＯＦＤＭシンボルストリームを運ぶ物理チャネルが生成される。ＯＦＤＭストリームは、空間的に予めコード化され、複数の空間ストリームが生成される。チャネル推定器７７４からのチャネル推定を使用して、コーディングおよび変調のスキームとともに、空間処理に対するスキームを決定してもよい。ＵＥ７５０により送信された、基準信号および／またはチャネル条件フィードバックからチャネル推定を導出してもよい。各空間ストリームは、その後、別々の送信機７１８ＴＸを通して、異なるアンテナ７２０に提供される。各送信機７１８ＴＸは、ＲＦ搬送波を、送信に対するそれぞれの空間ストリームで変調する。
【００３７】
ＵＥ７５０において、各受信機７５４ＲＸは、そのそれぞれのアンテナ７５２を通して信号を受信する。各受信機７５４ＲＸは、ＲＦ搬送波上に変調された情報を復元して、情報を受信機（ＲＸ）プロセッサ７５６に提供する。
【００３８】
ＲＸプロセッサ７５６は、Ｌ１レイヤのさまざまな信号処理機能を実現する。ＲＸプロセッサ７５６は、情報上で空間処理を実行して、ＵＥ７５０に宛てられている任意の空間ストリームを復元する。複数の空間ストリームがＵＥ７５０に宛てられている場合に、これらを、ＲＸプロセッサ７５６により、単一のＯＦＤＭシンボルストリームに組み合わせてもよい。ＲＸプロセッサ７５６は、その後、高速フーリエ変換（ＦＦＴ）を使用して、時間ドメインから周波数ドメインにＯＦＤＭシンボルストリームをコンバートする。周波数ドメイン信号は、ＯＦＤＭ信号の各副搬送波に対して、別々のＯＦＤＭシンボルストリームを含んでいる。各副搬送波上のシンボルおよび基準信号は、ｅノードＢ７１０により送信された可能性が最も高い信号配列点を決定することにより、復元および変調される。これらのソフト判定は、チャネル推定器７５８により計算されたチャネル推定に基づいていてもよい。その後、ソフト判定をデコードおよびデインターリーブして、物理チャネル上でｅノードＢ７１０により元々送信されたデータおよび制御信号を復元する。データおよび制御信号は、その後、制御装置／プロセッサ７５９に提供される。
【００３９】
制御装置／プロセッサ７５９は、図５に関連して先に記述したＬ２レイヤを実現する。ＵＬにおいて、制御／プロセッサ７５９は、伝送チャネルと論理チャネルとの間での多重分割化と、パケットの再組み立てと、解読と、ヘッダ伸張と、制御信号処理とを提供して、コアネットワークからの上位レイヤパケットを復元する。上位レイヤパケットは、その後、データシンク７６２に提供される。上位レイヤパケットは、Ｌ２レイヤより上のすべてのプロトコルレイヤを表す。Ｌ３処理のために、さまざまな制御信号もデータシンク７６２に提供されてもよい。制御装置／プロセッサ７５９はまた、肯定応答（ＡＣＫ）プロトコルおよび／または否定応答（ＮＡＣＫ）プロトコルを使用して、ＨＡＲＱ動作をサポートする誤り訂正を担当する。
【００４０】
ＵＬにおいて、データソース７６７を使用して、上位レイヤパケットを制御装置／プロセッサ７５９に提供する。データソース７６７は、Ｌ２レイヤ（Ｌ２）より上のすべてのプロトコルレイヤを表す。ｅノードＢ７１０によるＤＬ送信と関連して記述した機能性に類似して、制御装置／プロセッサ７５９は、ヘッダ圧縮と、暗号化と、パケットのセグメント化および再順序付けと、ｅノードＢ７１０による無線リソース割り振りに基づく、論理チャネルと伝送チャネルとの間での多重化とを提供することにより、ユーザプレーンおよび制御プレーンに対するＬ２レイヤを実行する。制御装置／プロセッサ７５９はまた、ＨＡＲＱ圧縮と、消失パケットの再送信と、ｅノードＢ７１０へのシグナリングとを担当する。
【００４１】
ｅノードＢ７１０により送信された、基準信号またはフィードバックから、チャネル推定器７５８によって導出されたチャネル推定を、ＴＸプロセッサ７６８により使用して、適切なコーディングおよび変調スキームを選択して、空間処理を促進してもよい。ＴＸプロセッサ７６８により発生させた空間ストリームは、別々の送信機７５４ＴＸを通して異なるアンテナ７５２に提供される。各送信機７５４ＴＸは、ＲＦ搬送波を、送信のためのそれぞれの空間ストリームで変調する。
【００４２】
ＵＬ送信は、ＵＥ７５０における受信機機能に関連して記述したものと類似した方法で、ｅノードＢ７１０において処理される。各受信機７１８ＲＸは、そのそれぞれのアンテナ７２０を通して信号を受信する。各受信機７１８ＲＸは、ＲＦ搬送波上に変調された情報を復元し、情報をＲＸプロセッサ７７０に提供する。ＲＸプロセッサ７７０は、Ｌ１レイヤを実現する。
【００４３】
制御装置／プロセッサ７５９は、図６に関連して先に記述したＬ２レイヤを実現する。ＵＬにおいて、制御／プロセッサ７５９は、伝送チャネルと論理チャネルとの間での多重分割化と、パケットの再組み立てと、解読と、ヘッダ伸張と、制御信号処理とを提供して、ＵＥ７５０からの上位レイヤパケットを復元する。制御装置／プロセッサ７７５からの上位レイヤパケットを、コアネットワークに提供してもよい。制御装置／プロセッサ７５９はまた、ＡＣＫプロトコルおよび／またはＮＡＣＫプロトコルを使用して、ＨＡＲＱ動作をサポートとする誤り訂正を担当する。
【００４４】
図１に関連して記述した処理システム１００は、ｅノードＢ７１０を備える。さらに詳細には、処理システム１００は、ＴＸプロセッサ７１６と、ＲＸプロセッサ７７０と、制御装置／プロセッサ７７５を備える。
【００４５】
図８は、異種ネットワークにおけるセル受信を促進するセルにわたって情報交換するためのメカニズムを図示しているダイヤグラム８００である。図８中に示されているように、異種ネットワークは、ｅノードＢ８０２と、フェムト／ピコセル８０４とを含む。ｅノードＢ８０２およびフェムト／ピコセル８０４は、Ｘ２インターフェース／バックホール８１０を通して接続されている。Ｘ２バックホール８１０を通して、フェムト／ピコセル８０４は、ｅノードＢ８０２からシステム情報を受信する。システム情報により、フェムト／ピコセル８０４は、干渉信号を消去するための強化した受信機処理を実行する。例えば、図８中に示されているように、ｅノードＢ８０２は、ＵＥ８０８と通信中であり８１２、フェムト／ピコセル８０４は、ＵＥ８０６と通信中である８１４。フェムト／ピコセル８０４は、ＵＥ８０６からの通信８１４を含む受信信号から、ＵＥ８０８からの対応する通信８１２を消去するために、ｅノードＢ８０２と関係する、ＰＲＡＣＨ、ＰＵＣＣＨ、および／またはＰＵＳＣＨに対するシステム情報を受信してもよい。フェムト／ピコセル８０４は、それゆえ、ｅノードＢ８０２のような隣接するｅノードＢと通信中の、ＵＥ８０８のような他のＵＥに関係する信号の干渉消去を実行することにより、ＵＥ８０６との通信を改善させてもよい。干渉を消去することにより、ＵＥ８０６からの信号に関して、受信した信号の信号対ノイズ比（ＳＩＲ）を改善させる。
【００４６】
ＰＲＡＣＨシステム情報は、ｒｏｏｔＳｅｑｕｅｎｃｅＩｎｄｅｘ（ＲＡＣＨ＿ＲＯＯＴ＿ＳＥＱＵＥＮＣＥ）整数値と、ＰＲＡＣＨ構成情報と、ｐｒａｃｈ−ＣｏｎｆｉｇＩｎｄｅｘ（ｐｒａｃｈ−ＣｏｎｆｉｇｕｒａｔｉｏｎＩｎｄｅｘ）整数値と、ＨｉｇｈＳｐｅｅｄＦｌａｇ（Ｈｉｇｈ−ｓｐｅｅｄ−ｆｌａｇ）ブール値と、ｚｅｒｏＣｏｒｒｅｌａｔｉｏｎＺｏｎｅＣｏｎｆｉｇ（ＮCS）整数値と、ｐｒａｃｈ−ＦｒｅｑＯｆｆｓｅｔ（ｐｒａｃｈ−ＦｒｅｑｕｅｎｃｙＯｆｆｓｅｔ）整数値とを含む。ＰＵＣＣＨシステム情報は、ｄｅｌｔａＰＵＣＣＨ−ｓｈｉｆｔ（ΔPUCCHshift）列挙値と、ｎＲＢ−ＣＱＩ（Ｎ(2)RB）整数値と、ｎＣＳ−ＡＮ（Ｎ(1)CS）整数値と、ｎ１ＰＵＣＣＨ−ＡＮ（Ｎ(1)PUCCH）整数値と、ａｃｋＮａｃｋＲｅｐｅｔｉｔｉｏｎ値と、ｒｅｐｉｔｉｔｉｏｎＦａｃｔｏｒ（ＮANRep）列挙値と、ｎ１ＰＵＣＣＨ−ＡＮ−Ｒｅｐ（ｎ(1)PUCCH）整数値と、ｔｄｄ＿ＡｃｋＮａｃｋＦｅｅｄｂａｃｋＭｏｄｅ列挙値とを含む。ＰＵＳＣＨシステム情報は、ｎ−ＳＢ（Ｎsb）整数値と、ｈｏｐｐｉｎｇＭｏｄｅ（Ｈｏｐｐｉｎｇ−ｍｏｄｅ）列挙値と、ｐｕｓｃｈ−ＨｏｐｐｉｎｇＯｆｆｓｅｔ（ＮHORB）整数値と、ｅｎａｂｌｅ６４ＱＡＭブール値と、ｕ１−ＲｅｆｅｒｅｎｃｅＳｉｇｎａｌｓＰＵＳＣＨ値と、ｂｅｔａＯｆｆｓｅｔ−ＡＣＫ−Ｉｎｄｅｘ（ＩHARQ-ACKoffset）整数値と、ｂｅｔａＯｆｆｓｅｔ−ＲＩ−Ｉｎｄｅｘ（ＩRIoffset）整数値と、ｂｅｔａＯｆｆｓｅｔ−ＣＱＩ−Ｉｎｄｅｘ（ＩCQIoffset）整数値と、ｇｒｏｕｐＨｏｐｐｉｎｇＥｎａｂｌｅｄ（Ｇｒｏｕｐ−ｈｏｐｐｉｎｇ−ｅｎａｂｌｅｄ）ブール値と、ｇｒｏｕｐＡｓｓｉｇｎｍｅｎｔＰＵＳＣＨ（ΔＳＳ）整数値と、ｓｅｑｕｅｎｃｅＨｏｐｐｉｎｇＥｎａｂｌｅｄ（Ｓｅｑｕｅｎｃｅ−ｈｏｐｐｉｎｇ−ｅｎａｂｌｅｄ）ブール値と、ｃｙｃｌｉｃＳｈｉｆｔ整数値とを含む。前述したシステム情報は、３ＧＰＰ ＴＳ ３６．３３１のセクション６．３．２、バージョン９．０．０、リリース９の中で論じられている。フェムト／ピコセル８０４は、ＰＲＡＣＨ、ＰＵＣＣＨ、および／またはＰＵＳＣＨをデコードするのに不可欠なシステム情報に加えて、ｅノードＢのグローバルセルＩＤのような追加的な情報を取得してもよい。
【００４７】
図９は、異種ネットワークにおけるセル受信を促進するセルにわたって情報交換するための別のメカニズムを図示しているダイヤグラム９００である。フェムト／ピコセル８０４が、ｅノードＢ８０２へのＸ２バックホール接続を有しておらず、フェムト／ピコセル８０４が、ｅノードＢ８０２の領域内である場合に、フェムト／ピコセル８０４は、ｅノードＢ８０２によりブロードキャストされたシステム情報を読み取ってもよい。すなわち、フェムト／ピコセル８０４は、ｅノードＢ８０２からブロードキャストされたシステム情報ブロック（ＳＩＢ）を読み取って、ＵＥ８０６からの通信８１４を含む信号から、対応する通信８１２を消去するための強化した受信機処理を実行するのに必須のシステム情報を取得してもよい。
【００４８】
図１０は、異種ネットワークにおけるセル受信を促進するセルにわたって情報交換するためのさらに別のメカニズムを図示しているダイヤグラム１０００である。フェムト／ピコセル８０４が、ｅノードＢ８０２の領域外にある、または、ｅノードＢ８０２からシステム情報を無線で直接取得する能力を持たない場合に、フェムト／ピコセル８０４は、必須のシステム情報を取得して、取得したシステム情報をフェムト／ピコセル８０４に中継するように、ｅノードＢ８０２の領域内にあるＵＥ８１６に要求してもよい。システム情報により、フェムト／ピコセル８０４は、ＵＥ８０６からの通信８１４を含む信号から、ＵＥ８０８からの対応する通信８１２を消去するための強化した受信機処理を実行できる。
【００４９】
図１１は、ワイヤレス通信の方法のフローチャート１１００である。方法は、ＵＥからの信号を含む信号を受信する（１１０２）。加えて、方法は、隣接するｅノードＢのシステム情報を取得する（１１０４）。さらに、方法は、ＵＥからの信号に関して、受信した信号を向上させるために、システム情報に基づいて、受信した信号を処理する（１１０６）。１つのコンフィギュレーションでは、方法は、隣接するｅノードＢのグローバルセル識別子（ＩＤ）を含む、追加的な情報を取得する。１つのコンフィギュレーションでは、受信した信号は、隣接するｅノードＢと通信中の第２のＵＥからの信号を含み、処理するために、方法は、ＵＥからの信号に関して、受信した信号のＳＩＲを改善させるために、システム情報に基づいて、第２のＵＥからの信号を受信信号から消去する。１つのコンフィギュレーションでは、システム情報は、第２のＵＥからのＰＲＱＣＨ送信をデコードするための情報である。１つのコンフィギュレーションでは、システム情報は、第２のＵＥからのＰＵＣＣＨ送信をデコードするための情報である。１つのコンフィギュレーションでは、システム情報は、第２のＵＥからのＰＵＳＣＨ送信をデコードするための情報である。ＰＲＡＣＨ、ＰＵＣＣＨ、およびＰＵＳＣＨ以外の他のチャネルに対するシステム情報を、他のチャネル上の干渉を消去するための強化した受信機処理を実行するために取得してもよい。
【００５０】
１つのコンフィギュレーションでは、システム情報は、隣接するｅノードＢとのＸ２バックホールを通して取得される。１つのコンフィギュレーションでは、システム情報は、隣接するｅノードＢによるブロードキャストから取得される。１つコンフィギュレーションでは、情報は、中継器を通して別のＵＥから取得される。
【００５１】
図１２は、ワイヤレス通信の方法のフローチャート１２００である。方法は、隣接するｅノードＢ８０２からシステム情報を取得するように第１のＵＥ８１０に要求する（１２０２）。加えて、方法は、隣接するｅノードＢ８０２のシステム情報を第１のＵＥ８１０から取得する（１２０４）。加えて、方法は、第２のＵＥ８０６からの信号８１４を含む信号を受信する（１２０６）。さらに、方法は、第２のＵＥ８０６からの信号８１４に関して、受信した信号を向上させるために、システム情報に基づいて、受信した信号を処理する（１２０８）。
【００５２】
図１３は、例示的な装置１００の機能性を図示している概念的なブロックダイヤグラム１３００である。装置１００は、フェムト／ピコセル８０４、または、そうでなければ、基地局（ＢＳ）であってもよい。装置１００は、ＵＥからの信号を含む信号を受信するモジュール１３０２を備える。加えて、装置１００は、隣接するｅノードＢのシステム情報を取得するモジュール１３０４を備える。さらに、装置１００は、ＵＥからの信号に関して、受信した信号を向上させるために、システム情報に基づいて、受信した信号を処理するモジュール１３０６を備える。
【００５３】
図１および７に戻り参照すると、１つのコンフィギュレーションでは、ワイヤレス通信のための装置１００は、ＵＥからの信号を含む信号を受信する手段と、隣接するｅノードＢのシステム情報を取得する手段と、ＵＥからの信号に関して、受信した信号を向上させるために、システム情報に基づいて、受信した信号を処理する手段とを備える。前述した手段は、前述した手段により記載した機能を実行するように構成されている処理システム１１４である。上述したように、処理システム１１４は、ＴＸプロセッサ７１６と、ＲＸプロセッサ７７０と、制御装置／プロセッサ７７５とを備える。したがって、１つのコンフィギュレーションでは、前述した手段は、前述した手段により記載した機能を実行するように構成されている、ＴＸプロセッサ７１６と、ＲＸプロセッサ７７０と、制御装置／プロセッサ７７５とであってもよい。
【００５４】
開示したプロセスにおけるステップの特有な順序または階層が、例示的なアプローチの実例であることを理解すべきである。設計選択に基づいて、プロセスにおけるステップの特有な順序または階層は再構成してもよいことを理解すべきである。添付している方法の請求項は、サンプルの順序におけるさまざまなステップのエレメントを提示しており、提示した特有な順序または階層に限定されることを意味していない。
【００５５】
先の説明は、任意の当業者が、ここに記述したさまざまな態様を実施できるように提供している。これらの態様に対するさまざまな修正は、当業者に容易に明らかになり、ここで規定した一般的な原理を、他の態様に適用してもよい。したがって、特許請求の範囲は、ここで示した態様に限定することを意図するものではなく、特許請求の範囲の文言と矛盾しない全範囲に一致させるべきである。エレメントへの単数での言及は、“１つおよび１つのみ”と特に述べられていない限り、“１つおよび１つのみ”を意味することを意図しているのではなく、むしろ“１つ以上の”を意味することを意図している。そうでないことが特に述べられていない限り、“いくつか”という用語は、１つ以上のことを指している。当業者に知られ、または後に知られることになる、本開示全体を通して記述しているさまざまな態様のエレメントに対するすべての構造的および機能的な均等物は、ここでの参照により明確に組み込まれ、特許請求の範囲により含まれることを意図している。さらに、ここで開示したものは、このような開示が特許請求の範囲中に明示的に記載されているか否かにかかわらず、公共に捧げられることを意図していない。どの請求項のエレメントも、エレメントが“する手段”というフレーズを使用して明確に記載されていない限り、または、方法の請求項のケースでは、エレメントが“するステップ”というフレーズを使用して記載されていない限り、米国特許法第１１２条第６パラグラフの規定の下で解釈すべきではない。
【図１】
2014195294.tif 000003
【図２】
2014195294.tif 000004
【図３】
2014195294.tif 000005
【図４】
2014195294.tif 000006
【図５】
2014195294.tif 000007
【図６】
2014195294.tif 000008
【図７】
2014195294.tif 000009
【図８】
2014195294.tif 000010
【図９】
2014195294.tif 000011
【図１０】
2014195294.tif 000012
【図１１】
2014195294.tif 000013
【図１２】
2014195294.tif 000014
【図１３】
2014195294.tif 000015
【手続補正書】
【提出日】平成26年6月13日(2014.6.13)
【手続補正１】
【補正対象書類名】特許請求の範囲
【補正対象項目名】全文
【補正方法】変更
【補正の内容】
【特許請求の範囲】
【請求項１】
ワイヤレス通信の方法において、
ユーザ機器（ＵＥ）からの信号を含む信号を受信することと、
隣接するｅノードＢのシステム情報を取得することと、
前記ＵＥからの信号に関して、前記受信した信号を向上させるために、前記システム情報に基づいて、前記受信した信号を処理することとを含み、
前記受信した信号は、前記隣接するｅノードＢと通信中の第２のＵＥからの信号を含み、前記処理することは、前記ＵＥからの信号に関して、前記受信した信号の信号対干渉比を改善させるために、前記システム情報に基づいて、前記第２のＵＥからの信号を前記受信した信号から消去することを含み、前記システム情報を取得することは、前記隣接するｅノードＢから前記システム情報を取得するように第３のＵＥに要求することをさらに含み、前記システム情報は、前記第３のＵＥから取得する方法。
【請求項２】
前記システム情報は、前記第２のＵＥからの物理ランダムアクセスチャネル（ＰＲＡＣＨ）送信をデコードするための情報である請求項１記載の方法。
【請求項３】
前記システム情報は、前記第２のＵＥからの物理アップリンク制御チャネル（ＰＵＣＣＨ）送信をデコードするための情報である請求項１記載の方法。
【請求項４】
前記システム情報は、前記第２のＵＥからの物理アップリンク共有チャネル（ＰＵＳＣＨ）送信をデコードするための情報である請求項１記載の方法。
【請求項５】
前記隣接するｅノードＢのグローバルセル識別子を有する追加情報を取得することをさらに含む請求項１記載の方法。
【請求項６】
ワイヤレス通信のための装置において、
ユーザ機器（ＵＥ）からの信号を含む信号を受信する手段と、
隣接するｅノードＢのシステム情報を取得する手段と、
前記ＵＥからの信号に関して、前記受信した信号を向上させるために、前記システム情報に基づいて、前記受信した信号を処理する手段と、
前記隣接するｅノードＢから前記システム情報を取得するように第３のＵＥに要求する手段とを具備し、
前記受信した信号は、前記隣接するｅノードＢと通信中の第２のＵＥからの信号を含み、前記処理する手段は、前記ＵＥからの信号に関して、前記受信した信号の信号対干渉比を改善させるために、前記システム情報に基づいて、前記第２のＵＥからの信号を前記受信した信号から消去し、前記システム情報は、前記第３のＵＥから取得する装置。
【請求項７】
前記システム情報は、前記第２のＵＥからの物理ランダムアクセスチャネル（ＰＲＡＣＨ）送信をデコードするための情報である請求項６記載の装置。
【請求項８】
前記システム情報は、前記第２のＵＥからの物理アップリンク制御チャネル（ＰＵＣＣＨ）送信をデコードするための情報である請求項６記載の装置。
【請求項９】
前記システム情報は、前記第２のＵＥからの物理アップリンク共有チャネル（ＰＵＳＣＨ）送信をデコードするための情報である請求項６記載の装置。
【請求項１０】
前記隣接するｅノードＢのグローバルセル識別子を有する追加情報を取得する手段をさらに具備する請求項６記載の装置。
【請求項１１】
コンピュータ読取可能記憶媒体において、
ユーザ機器（ＵＥ）からの信号を含む信号を受信するためのコードと、
隣接するｅノードＢのシステム情報を取得するためのコードと、
前記ＵＥからの信号に関して、前記受信した信号を向上させるために、前記システム情報に基づいて、前記受信した信号を処理するためのコードとを含み、
前記受信した信号は、前記隣接するｅノードＢと通信中の第２のＵＥからの信号を含み、前記処理するためのコードは、前記ＵＥからの信号に関して、前記受信した信号の信号対干渉比を改善させるために、前記システム情報に基づいて、前記第２のＵＥからの信号を前記受信した信号から消去するためのコードを含み、前記システム情報を取得するためのコードは、前記隣接するｅノードＢから前記システム情報を取得するように第３のＵＥに要求するためのコードを含み、前記システム情報は、前記第３のＵＥから取得するコンピュータ読取可能記憶媒体。
【請求項１２】
前記システム情報は、前記第２のＵＥからの物理ランダムアクセスチャネル（ＰＲＡＣＨ）送信をデコードするための情報である請求項１１記載のコンピュータ読取可能記憶媒体。
【請求項１３】
前記システム情報は、前記第２のＵＥからの物理アップリンク制御チャネル（ＰＵＣＣＨ）送信をデコードするための情報である請求項１１記載のコンピュータ読取可能記憶媒体。
【請求項１４】
前記システム情報は、前記第２のＵＥからの物理アップリンク共有チャネル（ＰＵＳＣＨ）送信をデコードするための情報である請求項１１記載のコンピュータ読取可能記憶媒体。
【請求項１５】
前記隣接するｅノードＢのグローバルセル識別子を有する追加情報を取得するためのコードをさらに含む請求項１１記載のコンピュータ読取可能記憶媒体。
【請求項１６】
ワイヤレス通信のための装置において、
ユーザ機器（ＵＥ）からの信号を含む信号を受信し、
隣接するｅノードＢのシステム情報を取得し、
前記ＵＥからの信号に関して、前記受信した信号を向上させるために、前記システム情報に基づいて、前記受信した信号を処理するように構成されている処理システムを具備し、
前記受信した信号は、前記隣接するｅノードＢと通信中の第２のＵＥからの信号を含み、前記受信した信号を処理するために、前記処理システムは、前記ＵＥからの信号に関して、前記受信した信号の信号対干渉比を改善させるために、前記システム情報に基づいて、前記第２のＵＥからの信号を前記受信した信号から消去するように構成され、前記システム情報を取得するために、前記処理システムは、前記隣接するｅノードＢから前記システム情報を取得するように第３のＵＥに要求するようにさらに構成されており、前記システム情報は、前記第３のＵＥから取得する装置。
【請求項１７】
前記システム情報は、前記第２のＵＥからの物理ランダムアクセスチャネル（ＰＲＡＣＨ）送信をデコードするための情報である請求項１６記載の装置。
【請求項１８】
前記システム情報は、前記第２のＵＥからの物理アップリンク制御チャネル（ＰＵＣＣＨ）送信をデコードするための情報である請求項１６記載の装置。
【請求項１９】
前記システム情報は、前記第２のＵＥからの物理アップリンク共有チャネル（ＰＵＳＣＨ）送信をデコードするための情報である請求項１６記載の装置。
【請求項２０】
前記処理システムは、前記隣接するｅノードＢのグローバルセル識別子を有する追加情報を取得するようにさらに構成されている請求項１６記載の装置。
【手続補正２】
【補正対象書類名】明細書
【補正対象項目名】００５５
【補正方法】変更
【補正の内容】
【００５５】
先の説明は、任意の当業者が、ここに記述したさまざまな態様を実施できるように提供している。これらの態様に対するさまざまな修正は、当業者に容易に明らかになり、ここで規定した一般的な原理を、他の態様に適用してもよい。したがって、特許請求の範囲は、ここで示した態様に限定することを意図するものではなく、特許請求の範囲の文言と矛盾しない全範囲に一致させるべきである。エレメントへの単数での言及は、“１つおよび１つのみ”と特に述べられていない限り、“１つおよび１つのみ”を意味することを意図しているのではなく、むしろ“１つ以上の”を意味することを意図している。そうでないことが特に述べられていない限り、“いくつか”という用語は、１つ以上のことを指している。当業者に知られ、または後に知られることになる、本開示全体を通して記述しているさまざまな態様のエレメントに対するすべての構造的および機能的な均等物は、ここでの参照により明確に組み込まれ、特許請求の範囲により含まれることを意図している。さらに、ここで開示したものは、このような開示が特許請求の範囲中に明示的に記載されているか否かにかかわらず、公共に捧げられることを意図していない。どの請求項のエレメントも、エレメントが“する手段”というフレーズを使用して明確に記載されていない限り、または、方法の請求項のケースでは、エレメントが“するステップ”というフレーズを使用して記載されていない限り、米国特許法第１１２条第６パラグラフの規定の下で解釈すべきではない。
以下に、本願出願の当初の特許請求の範囲に記載された発明を付記する。
［１］ワイヤレス通信の方法において、
ユーザ機器（ＵＥ）からの信号を含む信号を受信することと、
隣接するｅノードＢのシステム情報を取得することと、
前記ＵＥからの信号に関して、前記受信した信号を向上させるために、前記システム情報に基づいて、前記受信した信号を処理することとを含む方法。
［２］前記受信した信号は、前記隣接するｅノードＢと通信中の第２のＵＥからの信号を含み、前記処理することは、前記ＵＥからの信号に関して、前記受信した信号の信号対干渉比を改善させるために、前記システム情報に基づいて、前記第２のＵＥからの信号を前記受信した信号から消去することを含む［１］の方法。
［３］前記システム情報は、前記第２のＵＥからの物理ランダムアクセスチャネル（ＰＲＡＣＨ）送信をデコードするための情報である［２］の方法。
［４］前記システム情報は、前記第２のＵＥからの物理アップリンク制御チャネル（ＰＵＣＣＨ）送信をデコードするための情報である［２］の方法。
［５］前記システム情報は、前記第２のＵＥからの物理アップリンク共有チャネル（ＰＵＳＣＨ）送信をデコードするための情報である［２］の方法。
［６］前記システム情報は、前記隣接するｅノードＢとのＸ２バックホールを通して取得する［１］の方法。
［７］前記システム情報は、前記隣接するｅノードＢによるブロードキャストから取得する［１］の方法。
［８］前記隣接するｅノードＢから前記システム情報を取得するように第２のＵＥに要求することをさらに含み、前記システム情報は、前記第２のＵＥから取得する［１］の方法。
［９］前記隣接するｅノードＢのグローバルセル識別子を有する追加情報を取得することをさらに含む［１］の方法。
［１０］ワイヤレス通信ための装置において、
ユーザ機器（ＵＥ）からの信号を含む信号を受信する手段と、
隣接するｅノードＢのシステム情報を取得する手段と、
前記ＵＥからの信号に関して、前記受信した信号を向上させるために、前記システム情報に基づいて、前記受信した信号を処理する手段とを具備する装置。
［１１］前記受信した信号は、前記隣接するｅノードＢと通信中の第２のＵＥからの信号を含み、前記処理する手段は、前記ＵＥからの信号に関して、前記受信した信号の信号対干渉比を改善させるために、前記システム情報に基づいて、前記第２のＵＥからの信号を前記受信した信号から消去する［１０］の装置。
［１２］前記システム情報は、前記第２のＵＥからの物理ランダムアクセスチャネル（ＰＲＡＣＨ）送信をデコードするための情報である［１１］の装置。
［１３］前記システム情報は、前記第２のＵＥからの物理アップリンク制御チャネル（ＰＵＣＣＨ）送信をデコードするための情報である［１１］の装置。
［１４］前記システム情報は、前記第２のＵＥからの物理アップリンク共有チャネル（ＰＵＳＣＨ）送信をデコードするための情報である［１１］の装置。
［１５］前記システム情報は、前記隣接するｅノードＢとのＸ２バックホールを通して取得する［１０］の装置。
［１６］前記システム情報は、前記隣接するｅノードＢによるブロードキャストから取得する［１０］の装置。
［１７］前記隣接するｅノードＢから前記システム情報を取得するように第２のＵＥに要求する手段をさらに具備し、前記システム情報は、前記第２のＵＥから取得する［１０］の装置。
［１８］前記隣接するｅノードＢのグローバルセル識別子を有する追加情報を取得する手段をさらに具備する［１０］の装置。
［１９］コンピュータプログラムプロダクトにおいて、
ユーザ機器（ＵＥ）からの信号を含む信号を受信するためのコードと、
隣接するｅノードＢのシステム情報を取得するためのコードと、
前記ＵＥからの信号に関して、前記受信した信号を向上させるために、前記システム情報に基づいて、前記受信した信号を処理するためのコードとを有するコンピュータ読取可能媒体を含むコンピュータプログラムプロダクト。
［２０］前記受信した信号は、前記隣接するｅノードＢと通信中の第２のＵＥからの信号を含み、前記処理するためのコードは、前記ＵＥからの信号に関して、前記受信した信号の信号対干渉比を改善させるために、前記システム情報に基づいて、前記第２のＵＥからの信号を前記受信した信号から消去させる［１９］のコンピュータプログラムプロダクト。
［２１］前記システム情報は、前記第２のＵＥからの物理ランダムアクセスチャネル（ＰＲＡＣＨ）送信をデコードするための情報である［２０］のコンピュータプログラムプロダクト。
［２２］前記システム情報は、前記第２のＵＥからの物理アップリンク制御チャネル（ＰＵＣＣＨ）送信をデコードするための情報である［２０］のコンピュータプログラムプロダクト。
［２３］前記システム情報は、前記第２のＵＥからの物理アップリンク共有チャネル（ＰＵＳＣＨ）送信をデコードするための情報である［２０］のコンピュータプログラムプロダクト。
［２４］前記システム情報は、前記隣接するｅノードＢとのＸ２バックホールを通して取得する［１９］のコンピュータプログラムプロダクト。
［２５］前記システム情報は、前記隣接するｅノードＢによるブロードキャストから取得する［１９］のコンピュータプログラムプロダクト。
［２６］前記コンピュータ読取可能媒体は、前記隣接するｅノードＢから前記システム情報を取得するように第２のＵＥに要求するためのコードをさらに含み、前記システム情報は、前記第２のＵＥから取得する［１９］のコンピュータプログラムプロダクト。
［２７］前記コンピュータ読取可能媒体は、前記隣接するｅノードＢのグローバルセル識別子を有する追加情報を取得するためのコードをさらに含む［１９］のコンピュータプログラムプロダクト。
［２８］ワイヤレス通信のための装置において、
ユーザ機器（ＵＥ）からの信号を含む信号を受信し、
隣接するｅノードＢのシステム情報を取得し、
前記ＵＥからの信号に関して、前記受信した信号を向上させるために、前記システム情報に基づいて、前記受信した信号を処理するように構成されている処理システムを具備する装置。
［２９］前記受信した信号は、前記隣接するｅノードＢと通信中の第２のＵＥからの信号を含み、前記受信した信号を処理するために、前記処理システムは、前記ＵＥからの信号に関して、前記受信した信号の信号対干渉比を改善させるために、前記システム情報に基づいて、前記第２のＵＥからの信号を前記受信した信号から消去するように構成されている［２８］の装置。
［３０］前記システム情報は、前記第２のＵＥからの物理ランダムアクセスチャネル（ＰＲＡＣＨ）送信をデコードするための情報である［２９］の装置。
［３１］前記システム情報は、前記第２のＵＥからの物理アップリンク制御チャネル（ＰＵＣＣＨ）送信をデコードするための情報である［２９］の装置。
［３２］前記システム情報は、前記第２のＵＥからの物理アップリンク共有チャネル（ＰＵＳＣＨ）送信をデコードするための情報である［２９］の装置。
［３３］前記システム情報は、前記隣接するｅノードＢとのＸ２バックホールを通して取得する［２８］の装置。
［３４］前記システム情報は、前記隣接するｅノードＢによるブロードキャストから取得する［２８］の装置。
［３５］前記処理システムは、前記隣接するｅノードＢから前記システム情報を取得するように第２のＵＥに要求するようにさらに構成されており、前記システム情報は、前記第２のＵＥから取得する［２８］の装置。
［３６］前記処理システムは、前記隣接するｅノードＢのグローバルセル識別子を有する追加情報を取得するようにさらに構成されている［２８］の装置。
【外国語明細書】
2014195294000001.pdf